Podtech/llm-jp-corpus-v4-ja_patent huggingface dataset:
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
０．５〜５μｍの平均粒径（ｄ５０）を有する長石または長石誘導体の粒子を含む歯科材料用粉末充填材であって、前記粒子が反応性基を含有するケイ素化合物によるコーティングを有し、前記歯科材料は複合材料である、歯科材料用粉末充填材。
【請求項２】
前記反応性基が重合性基を含む、請求項１に記載の粉末充填材。
【請求項３】
前記重合性基が、エポキシ基またはビニル基を含む、請求項２に記載の粉末充填材。
【請求項４】
前記重合性基が、メタクリル基またはアクリル基を含む、請求項２に記載の粉末充填材。
【請求項５】
前記長石が、斜長石またはアルカリ長石の群から選択される、請求項１から４のいずれか一項に記載の粉末充填材。
【請求項６】
前記長石が、ペルト長石、曹長石、灰曹長石、中性長石、曹灰長石、亜灰長石、灰長石およびＳｉＯ２欠乏長石誘導体、ならびにこれらの混合物から選択される、請求項１から５のいずれか一項に記載の粉末充填材。
【請求項７】
前記ＳｉＯ２欠乏長石誘導体は、霞石を含む、請求項６に記載の粉末充填材。
【請求項８】
前記長石が、０．５〜３．５μｍの平均粒径（ｄ５０）を有する、請求項１から７のいずれか一項に記載の粉末充填材。
【請求項９】
前記長石が、０．８〜１．５μｍの平均粒径（ｄ５０）を有する、請求項８に記載の粉末充填材。
【請求項１０】
前記長石が透明である、請求項１から９のいずれか一項に記載の粉末充填材。
【請求項１１】
前記充填材が、二峰性粒径分布を有する、請求項１から１０のいずれか一項に記載の粉末充填材。
【請求項１２】
前記二峰性粒径分布の一方のピークが０．５〜１μｍの範囲内にあり、および第二のピークが１〜３．５μｍの範囲内にある、請求項１１に記載の粉末充填材。
【請求項１３】
請求項１から１２のいずれか一項に記載の粉末充填材の製造方法であって、
以下の工程：
長石を粉砕する工程と、
得られる粒子を、反応性ケイ素化合物を用いてシラン処理する工程と
を有する粉末充填材の製造方法。
【請求項１４】
歯科複合材料であって、
６０〜９０重量％の請求項１から１２のいずれか一項に記載の粉末充填材と、
１０〜４０重量％の重合性樹脂であって、前記重合性樹脂は、前記反応性基と反応することができる重合性樹脂と、
を含有する歯科複合材料。
【請求項１５】
前記歯科複合材料が、光で硬化できる、請求項１４に記載の歯科複合材料。
【請求項１６】
請求項１４または請求項１５に記載の硬化した複合材料を含有する歯科材料。
【請求項１７】
歯科材料における充填材としての請求項１から１２のいずれか一項に記載の粉末充填材の使用。
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
式Ｉ
【化１】
2013531013.tif 000001
I
の化合物又はその塩。
［式中、
R1は下記の部分から選ばれた置換アリール部分、ヘテロアリール部分又は複素環部分であり、
【化２】
2013531013.tif 000002
【化３】
2013531013.tif 000003
【化４】
2013531013.tif 000004
【化５】
2013531013.tif 000005
【化６】
2013531013.tif 000006
【化７】
2013531013.tif 000007
【化８】
2013531013.tif 000008
R2は
【化９】
2013531013.tif 000009
から選ばれる］
【請求項２】
R2が
【化１０】
2013531013.tif 000010
である、請求項１記載の化合物、又はその塩。
【請求項３】
R2が
【化１１】
2013531013.tif 000011
である、請求項１記載の化合物、又はその塩。
【請求項４】
R2が
【化１２】
2013531013.tif 000012
から選ばれる、請求項１記載の化合物、又はその塩。
【請求項５】
R2が
【化１３】
2013531013.tif 000013
である、請求項１記載の化合物、又はその塩。
【請求項６】
R1が下記の部分から選ばれた置換アリール部分、ヘテロアリール又は複素環部分である、請求項１記載の化合物、又はその塩。
【化１４】
2013531013.tif 000014
【化１５】
2013531013.tif 000015
【化１６】
2013531013.tif 000016
【請求項７】
R2が
【化１７】
2013531013.tif 000017
である、請求項６記載の化合物、又はその塩。
【請求項８】
R2が
【化１８】
2013531013.tif 000018
である、請求項６記載の化合物、又はその塩。
【請求項９】
R2が
【化１９】
2013531013.tif 000019
から選ばれる、請求項６記載の化合物、又はその塩。
【請求項１０】
R2が
【化２０】
2013531013.tif 000020
である、請求項６記載の化合物、又はその塩。
【請求項１１】
下記の化合物からなる群から選ばれた化合物及びこれらの医薬上許される塩。
2013531013.tif 000021
2013531013.tif 000022
2013531013.tif 000023
2013531013.tif 000024
2013531013.tif 000025
2013531013.tif 000026
2013531013.tif 000027
2013531013.tif 000028
2013531013.tif 000029
2013531013.tif 000030
2013531013.tif 000031
2013531013.tif 000032
2013531013.tif 000033
2013531013.tif 000034
2013531013.tif 000035
2013531013.tif 000036
2013531013.tif 000037
2013531013.tif 000038
【請求項１２】
化合物番号2-4 、６，８、12、14、18、20-22 、24、26-34、36-40 、42、44、46、48-50 、52-54 、56、58、62、64、66、68-70 、74、76、78、80、84、86、88、90、92、94-96 、98、100 、102 、104 、106 、108 、110 、112 、114 、116 、118-120 、122- 126 、128-130 、132-134 、136 、138 、140 、142 、144-146 、148 、150 、152 、154 、155 、160 、162 、164 、166 、168 、170 、172 、174-179 、182 、184 、186 、188、190 、194 、198 、200-202 、205 、207 、209 及び210 から選ばれた請求項１１記載の化合物、並びにこれらの医薬上許される塩
【請求項１３】
請求項１記載の化合物を含むことを特徴とする医薬組成物。
【請求項１４】
Rhoキナーゼ媒介疾患の治療の為の請求項1３に記載の医薬組成物。
【請求項１５】
Rho キナーゼ媒介疾患が高血圧、アテローム硬化症、再狭窄、卒中、心筋梗塞、心不全、冠状動脈疾患、末梢動脈疾患、冠状動脈血管痙攣、脳血管痙攣、虚血／再潅流障害、肺高血圧、アンギーナ、勃起不全、腎臓疾患、臓器不全、喘息、緑内障、癌、アルツハイマー病、多発性硬化症、脊髄損傷、神経痛、慢性関節リウマチ、乾癬、炎症性腸疾患、及びこのような疾患の組み合わせから選ばれる、請求項１４記載の医薬組成物。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
封止剤組成物から形成される封止材を含む正温度係数加熱回路であって、前記封止剤組成物は、本質的に
（ａ）前記封止剤組成物の全重量を基準として７０〜９７重量％の第１の有機媒体であって、前記第１の有機媒体は、第１の有機溶媒中に溶解された、前記第１の有機媒体の全重量を基準として３０〜６０重量％の熱可塑性フルオロポリマー樹脂を含む第１の有機媒体と；
（ｂ）前記封止剤組成物の全重量を基準として３〜３０重量％の第２の有機媒体であって、前記第２の有機媒体は、第２の有機溶媒中に溶解された、前記第２の有機媒体の全重量を基準として１０〜５０重量％のアクリル樹脂を含む第２の有機媒体と、
からなり、前記封止剤組成物は加熱されて全溶媒を除去されている、正温度係数加熱回路。
【請求項２】
前記熱可塑性フルオロポリマー樹脂が、ポリフッ化ビニリデンホモポリマーまたはポリフッ化ビニリデン系コポリマーであり、前記アクリル樹脂がメタクリル酸メチルコポリマーである、請求項１に記載の正温度係数加熱回路。
【請求項３】
前記熱可塑性フルオロポリマー樹脂がポリフッ化ビニリデン−ヘキサフルオロプロピレン−テトラフルオロエチレンコポリマーである、請求項２に記載の正温度係数加熱回路。
【請求項４】
封止剤組成物から形成される封止材を含む正温度係数加熱回路であって、前記封止剤組成物は、本質的に
（ａ）第１の有機媒体であって、前記第１の有機媒体は、第１の有機溶媒中に溶解された、前記第１の有機媒体の全重量を基準として３０〜６０重量％の熱可塑性フルオロポリマー樹脂を含む第１の有機媒体と；
（ｂ）第２の有機媒体であって、前記第２の有機媒体は、第２の有機溶媒中に溶解された、前記第２の有機媒体の全重量を基準として１０〜５０重量％のアクリル樹脂を含む第２の有機媒体と；
（ｃ）ヒュームドシリカと、
からなり、前記封止剤組成物は加熱されて全溶媒を除去されている、正温度係数加熱回路。
【請求項５】
封止剤組成物から形成される封止材を含む正温度係数加熱回路を有するヒーターであって、前記封止剤組成物は、本質的に
（ａ）前記封止剤組成物の全重量を基準として７０〜９７重量％の第１の有機媒体であって、前記第１の有機媒体は、第１の有機溶媒中に溶解された、前記第１の有機媒体の全重量を基準として３０〜６０重量％の熱可塑性フルオロポリマー樹脂を含む第１の有機媒体と；
（ｂ）前記封止剤組成物の全重量を基準として３〜３０重量％の第２の有機媒体であって、前記第２の有機媒体は、第２の有機溶媒中に溶解された、前記第２の有機媒体の全重量を基準として１０〜５０重量％のアクリル樹脂を含む第２の有機媒体と、
からなり、前記封止剤組成物は加熱されて全溶媒を除去されている、ヒーター。
【請求項６】
ミラーヒーターまたはシートヒーターの形態である、請求項５に記載のヒーター。
【請求項７】
前記正温度係数加熱回路が：
（ｉ）１２５ｃｃ／１００ｇカーボンブラック以下のＤＢＰ吸収量を有する１５〜３０重量％のカーボンブラックと；
（ｉｉ）１０〜４０重量％の塩素化無水マレイン酸グラフトポリプロピレン樹脂と；
（ｉｉｉ）前記樹脂を可溶化することができる有機媒体と
を含む正温度係数組成物を含み、前記組成物を加熱して前記有機媒体が除去され、それによって正温度係数炭素抵抗器が形成されており、前記封止材によって前記正温度係数炭素抵抗器が封止されている、請求項６に記載のヒーター。
【手続補正２】
【補正対象書類名】明細書
【補正対象項目名】００２６
【補正方法】変更
【補正の内容】
【００２６】
封止材によって得られる性能の改善は、表Ｉに示される結果から明らかである。封止材なしで観察された抵抗シフトは、封止材を有する場合の４倍を超えている。パワーサイクリングを行った場合、封止材なしの場合の平衡温度は、サイクルごとに上昇し続けたが、封止されたヒーター回路は良好な温度安定性を示している。さらに、７０℃における抵抗の室温における抵抗に対する比によって測定されるＰＴＣ効果の大きさは、実施例１のＰＴＣ回路において、比較例１のＰＴＣ回路よりも約２０％高く、このことは封止材を使用した場合に見られる改善をさらに裏付けている。
以下に、本発明の好ましい態様を示す。
［１］  （ａ）第１の有機溶媒中に溶解させた３０〜６０重量％の熱可塑性フルオロポリマー樹脂を含む第１の有機媒体であって、前記重量パーセントは前記第１の有機媒体の全重量を基準としている、第１の有機媒体と；
（ｂ）第２の有機溶媒中に溶解させた１０〜５０重量％のアクリル樹脂を含む第２の有機媒体であって、前記重量パーセントは前記第２の有機媒体の全重量を基準としている、第２の有機媒体と、
を含むポリマー厚膜封止材組成物。
［２］  前記熱可塑性フルオロポリマー樹脂が、ポリフッ化ビニリデンホモポリマーまたはポリフッ化ビニリデン系コポリマーであり、前記アクリル樹脂がメタクリル酸メチルコポリマーである、［１］に記載のポリマー厚膜封止材組成物。
［３］  前記熱可塑性フルオロポリマー樹脂がポリフッ化ビニリデン−ヘキサフルオロプロピレン−テトラフルオロエチレンコポリマーである、［２］に記載のポリマー厚膜封止材組成物。
［４］  ヒュームドシリカをさらに含む、［１］に記載のポリマー厚膜封止材組成物。
［５］  ［１］〜［４］のいずれか一項に記載の封止材組成物から形成された封止材を含む、正温度係数加熱回路。
［６］  ［１］〜［４］のいずれか一項に記載の封止材組成物から形成された封止材を含む正温度係数加熱回路を有する、ヒーター。
［７］  ミラーヒーターまたはシートヒーターの形態である、［６］に記載のヒーター。
［８］  前記正温度係数加熱回路が：
（ｉ）約１２５ｃｃ／１００ｇカーボンブラック以下のＤＢＰ吸収量を有する１５〜３０重量％のカーボンブラックと；
（ｉｉ）１０〜４０重量％の塩素化無水マレイン酸グラフトポリプロピレン樹脂と；
（ｉｉｉ）前記樹脂を可溶化することができる有機媒体と
を含む正温度係数組成物を含み、前記組成物を加熱して前記有機媒体が除去され、それによって正温度係数炭素抵抗器が形成されており、前記封止材によって前記正温度係数炭素抵抗器が封止されている、［７］に記載のヒーター。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
５−クロロ−４−［４−クロロ−２−（２−ピペラジン−１−イルピリミジン−４−イル）フェノキシ］−２−フルオロ−Ｎ−１，３−チアゾール−４−イルベンゼンスルホンアミド；
５−クロロ−４−［４−クロロ−２−（２−ピペラジン−１−イルピリミジン−４−イル）フェノキシ］−２−フルオロ−Ｎ−１，３，４−チアジアゾール−２−イルベンゼンスルホンアミド；
５−クロロ−２−フルオロ−４−［５−フルオロ−２−ピリダジン−４−イル−４−（トリフルオロメチル）フェノキシ］−Ｎ−１，３−チアゾール−４−イルベンゼンスルホンアミド；
５−クロロ−２−フルオロ−４−［４−フルオロ−２−ピリダジン−４−イル−５−（トリフルオロメチル）フェノキシ］−Ｎ−１，３−チアゾール−４−イルベンゼンスルホンアミド；
４−［２−（２−アミノピリジン−４−イル）−４−クロロフェノキシ］−５−クロロ−２−フルオロ−Ｎ−（５−フルオロピリミジン−２−イル）ベンゼンスルホンアミド；
４−［２−（２−アミノピリジン−４−イル）−４−（トリフルオロメチル）フェノキシ］−５−クロロ−２−フルオロ−Ｎ−（５−フルオロピリミジン−２−イル）ベンゼンスルホンアミド；
４−［２−（２−アミノピリジン−４−イル）−４−フルオロフェノキシ］−５−クロロ−２−フルオロ−Ｎ−１，３−チアゾール−４−イルベンゼンスルホンアミド；
４−［２−（３−アミノ−１Ｈ−ピラゾール−４−イル）−４−（トリフルオロメトキシ）フェノキシ］−５−クロロ−２−フルオロ−Ｎ−１，３−チアゾール−４−イルベンゼンスルホンアミド；
４−［２−（２−アミノピリジン−４−イル）−４−クロロフェノキシ］−３−クロロ−Ｎ−１，３，４−チアジアゾール−２−イルベンゼンスルホンアミド；
４−［２−（２−アミノピリジン−４−イル）−４−クロロフェノキシ］−５−クロロ−２−フルオロ−Ｎ−１，３−チアゾール−４−イルベンゼンスルホンアミド；
４−［２−（５−アミノ−１Ｈ−ピラゾール−４−イル）−４−フルオロフェノキシ］−５−クロロ−２−フルオロ−Ｎ−１，３−チアゾール−４−イルベンゼンスルホンアミド；
５−クロロ−２−フルオロ−４−［２−ピリダジン−４−イル−４−（トリフルオロメトキシ）フェノキシ］−Ｎ−１，３−チアゾール−４−イルベンゼンスルホンアミド；
４−［２−（１−アゼチジン−３−イル−１Ｈ−ピラゾール−５−イル）−５−クロロ−２−フルオロ−４−（トリフルオロメチル）フェノキシ］−Ｎ−１，３，４−チアジアゾール−５−イルベンゼンスルホンアミド；
５−クロロ−２−フルオロ−４−｛４−トリフルオロメチル−２−［１−（１−メチルアゼチジン−３−イル）−１Ｈ−ピラゾール−５−イル］フェノキシ｝−Ｎ−１，３，４−チアジアゾール−イルベンゼンスルホンアミド；
３−シアノ−４−［２−（３−メチルピリダジン−４−イル）−４−（トリフルオロメチル）フェノキシ］−Ｎ−１，２，４−チアジアゾール−５−イルベンゼンスルホンアミド；
３−メチル−４−［２−ピリダジン−４−イル−４−（トリフルオロメチル）フェノキシ］−Ｎ−１，２，４−チアジアゾール−５−イルベンゼンスルホンアミド；
４−［４−クロロ−２−（２−ピペラジン−１−イルピリミジン−４−イル）フェノキシ］−２，５−ジフルオロ−Ｎ−１，３−チアゾール−４−イルベンゼンスルホンアミド；
４−［４−クロロ−２−（２−ピペラジン−１−イルピリジン−４−イル）フェノキシ］−２，５−ジフルオロ−Ｎ−ピリミジン−２−イルベンゼンスルホンアミド；
４−［４−クロロ−２−（２−ピペラジン−１−イルピリジン−４−イル）フェノキシ］−３−シアノ−Ｎ−ピリミジン−２−イルベンゼンスルホンアミド；
４−［４−クロロ−２−（２−ピペラジン−１−イルピリミジン−４−イル）フェノキシ］−３−シアノ−Ｎ−ピリミジン−２−イルベンゼンスルホンアミド；
４−［４−クロロ−２−（２−ピペラジン−１−イルピリミジン−４−イル）フェノキシ］−２，５−ジフルオロ−Ｎ−ピリミジン−２−イルベンゼンスルホンアミド；
から選択される化合物、又は医薬的に受容可能なその塩。
【請求項２】
請求項１に記載の化合物、又は医薬的に受容可能なその塩を、一つ以上の医薬的に受容可能な賦形剤と共に含んでなる医薬組成物。
【請求項３】
一つ以上の更なる治療剤を含む、請求項２に記載の医薬組成物。
【請求項４】
Ｎａｖ１．７阻害剤が適用される疾患の治療において使用するための、請求項２又は３に記載の医薬組成物。
【請求項５】
Ｎａｖ１．７阻害剤が適用される疾患が、疼痛である、請求項４に記載の医薬組成物。
【請求項６】
Ｎａｖ１．７阻害剤が適用される疾患が、神経障害性、侵害受容性又は炎症性疼痛である、請求項４に記載の医薬組成物。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2013531029.tif 000001
またはその薬学的に許容される塩
（式中、
Ｚは、（ａ）１個もしくは２個の窒素原子を含むか、５員環である場合、（ｂ）１個もしくは２個の窒素原子と１個の硫黄原子を含む「Ｃ連結」５員環もしくは６員環のヘテロアリールであり、該ヘテロアリールは、環炭素原子上でＦまたはＣｌで任意に置換されており、
Ｙ１は、ＣＮ、Ｆ、ＣｌまたはＲ４であり、
Ｙ２は、ＨまたはＦであり、
Ｘは、ＣＨ２またはＳであり、
Ｒ１およびＲ２は独立に、Ｈ、Ｃｌ、Ｆ、Ｒ５、ＡｒまたはＨｅｔ１であり、
Ｒ３は、Ｈ、Ｆ、Ｒ５、ＡｒまたはＨｅｔ１であり、
Ｒ４は、１〜３個のＦで任意に置換された（Ｃ１〜Ｃ４）アルキルであり、
Ｒ５は、１〜３個のＦで任意に置換された（Ｃ１〜Ｃ４）アルキルまたは１〜３個のＦで任意に置換された（Ｃ１〜Ｃ４）アルキルオキシであり、
Ａｒは、Ｃｌ、ＦまたはＲ５から選択された１〜３個の原子または基で任意に置換されたフェニルであり、
Ｈｅｔ１は、１個もしくは２個の窒素原子を含む「Ｃ連結」５員環もしくは６員環のヘテロアリール基であり、ＡまたはＢから選択された１〜３個の置換基で任意に置換されており、
Ａは、Ｈｅｔ１環炭素に結合しており、Ｈｅｔ２、ＮＨ２およびＲ４から選択され、
Ｂは、Ｈｅｔ１環窒素に結合しており、「Ｃ連結」Ｈｅｔ２およびＲ４から選択され、
Ｈｅｔ２は、１個もしくは２個の環窒素原子または（ｂ）１個の酸素原子と１個もしくは２個の窒素原子を含む「Ｃ連結」３〜８員環の飽和複素環基であり、該複素環基はＲ４で任意に置換されている）。
【請求項２】
ＸがＳである、請求項１に記載の化合物またはその薬学的に許容される塩。
【請求項３】
ＸがＣＨ２である、請求項１に記載の化合物またはその薬学的に許容される塩。
【請求項４】
Ｚが、（ａ）２個の窒素原子と１個の硫黄原子を含む「Ｃ連結」５員環のヘテロアリール基、または（ｂ）２個の窒素原子を含む「Ｃ連結」６員環のヘテロアリール基のいずれか一方である、前記請求項のいずれかに記載の化合物またはその薬学的に許容される塩。
【請求項５】
Ｚが「Ｃ連結」チアジアゾリルまたは「Ｃ連結」ピリミジニルである、前記請求項のいずれかに記載の化合物またはその薬学的に許容される塩。
【請求項６】
Ｙ１がＣｌであり、かつＹ２がＦである、前記請求項のいずれかに記載の化合物またはその薬学的に許容される塩。
【請求項７】
Ｙ１がＣＮであり、かつＹ２がＨである、前記請求項のいずれかに記載の化合物またはその薬学的に許容される塩。
【請求項８】
Ｒ１およびＲ２が独立にＨ、Ｆ、ＣｌまたはＲ５である、前記請求項のいずれかに記載の化合物またはその薬学的に許容される塩。
【請求項９】
Ｒ１およびＲ２が独立にＨ、Ｆ、ＣＦ３またはＯＣＨ３である、前記請求項のいずれかに記載の化合物またはその薬学的に許容される塩。
【請求項１０】
Ｒ３がＨ、Ｆ、Ｒ５またはＨｅｔ１である、前記請求項のいずれかに記載の化合物またはその薬学的に許容される塩。
【請求項１１】
Ｒ３が、Ｈ、Ｆ、１〜３個のハロ原子で任意に置換された（Ｃ１〜Ｃ４）アルキル、メトキシなどの（Ｃ１〜Ｃ４）アルキルオキシ、または１個もしくは２個の窒素原子を含み、炭素原子上でＮＨ２で任意に置換された「Ｃ連結」６員環のヘテロアリール基である、前記請求項のいずれかに記載の化合物またはその薬学的に許容される塩。
【請求項１２】
１種以上の薬学的に許容される賦形剤と共に、請求項１〜１１のいずれか一項に定義されている式（Ｉ）の化合物またはその薬学的に許容される塩を含む医薬組成物。
【請求項１３】
１種以上のさらなる治療薬を含む、請求項１２に記載の医薬組成物。
【請求項１４】
Ｎａｖ１．７阻害剤が必要とされる障害の治療に使用される、請求項１２または１３に定義されている医薬組成物。
【請求項１５】
Ｎａｖ１．７阻害剤が必要とされる該障害が、疼痛である、請求項１４に定義されている医薬組成物。
【請求項１６】
Ｎａｖ１．７阻害剤が必要とされる該障害が、神経因性疼痛、侵害受容疼痛または炎症性疼痛である、請求項１４に定義されている医薬組成物。
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
歯牙障害の予防または治療において薬理学的に活性な成分との組合せにおいて使用される一般式（Ｉ）
【化１】
2013531048.tif 000001
［式中、
Ｒは、−Ｃ１−Ｃ６−アルキルを意味し；
Ｒ１およびＲ２は、それぞれ、互いに独立して、−Ｃ１−Ｃ６−アルキルを意味し、または（２ｎ）員環を一緒に形成しており；
ｎは、２から８の整数である］
によるシロキサンを含む医薬組成物。
【請求項２】
請求項１に記載の一般式（Ｉ）によるシロキサンを含む第１の医薬組成物、および請求項１に記載の薬理学的に活性な成分を含む第２の別個の医薬組成物を含むキット。
【請求項３】
請求項１に記載の一般式（Ｉ）によるシロキサンを、請求項１に記載の薬理学的に活性な成分との組合せにおいて含む医薬剤形。
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2013531006.tif 000001
［式中、
ｎは、１または２の整数であり、
ｔは０または１であり、
各Ｒ１は、Ｃ１〜３アルコキシ、Ｃ１〜３アルキル、Ｃ１〜３アルキル−Ｏ−Ｃ１〜３アルキルから独立に選択され、
Ｒ２およびＲ３は、独立に、Ｃ１〜３アルキル、Ｃ１〜３アルコキシまたはＣ３〜６シクロアルキルであり、但し、少なくとも１つはＣ１〜３アルコキシであり、
Ｒ４は、Ｃ１〜６アルキル、Ｃ１〜３アルキル−Ｃ３〜６シクロアルキル、Ｃ３〜６ヘテロシクロアルキルである］または
または薬学的に許容できるその塩。
【請求項２】
Ｒ１、Ｒ２、およびＲ３がそれぞれＣ１〜３アルコキシであり、Ｒ４がＣ４〜６アルキルであり、ｎおよびｔがそれぞれ１である、請求項１に記載の化合物、または薬学的に許容できるその塩。
【請求項３】
Ｒ１、Ｒ２およびＲ３がそれぞれメトキシであり、Ｒ４が−ＣＨ２−ｔ−ブチルであり、ｎおよびｔがそれぞれ１である、請求項１に記載の化合物、または薬学的に許容できるその塩。
【請求項４】
Ｎ−（４，６−ジメトキシ−２−（４−メトキシピペリジン−１−イル）ピリミジン−５−イル）−３，３−ジメチルブタンアミドである化合物、または薬学的に許容できるその塩。
【請求項５】
哺乳類におけるＫＣＮＱファミリーカリウムイオンチャネルの神経細胞の興奮性の調節異常を特徴とする神経細胞の興奮性の減退によって影響される疾患、障害または状態を治療するための、請求項１から４のいずれか一項に記載の化合物または薬学的に許容できるその塩を含む医薬組成物。
【請求項６】
ＫＣＮＱチャネルがＫＶ７．２／ＫＶ７．３チャネルである、請求項５に記載の医薬組成物。
【請求項７】
認知障害、疼痛性障害またはてんかんを治療するための、請求項５または６に記載の医薬組成物。
【請求項８】
がん患者における鬱病、パーキンソン病患者における鬱病、心筋梗塞後の鬱病、ヒト免疫不全ウイルス（ＨＩＶ）患者における鬱病、亜症候群性症候性鬱病、不妊女性における鬱病、小児鬱病、大鬱病、単一エピソード鬱病、反復性鬱病、児童虐待により誘発される鬱病、産後鬱病、ＤＳＭ−ＩＶ大鬱病、治療抵抗性大鬱病、重度の鬱病、精神病性鬱病、脳卒中後鬱病、神経因性疼痛、混合エピソードを伴う躁鬱病および鬱病エピソードを伴う躁鬱病を含む躁鬱病、季節性情動障害、双極性鬱病ＢＰ  Ｉ、双極性鬱病ＢＰ  ＩＩ、または気分変調を伴う大鬱病を含む鬱病；気分変調；広場恐怖症、社会恐怖症または単純恐怖症を含む恐怖症；神経性無食欲症または神経性過食症を含む摂食障害；アルコール、コカイン、アンフェタミンおよび他の精神刺激薬、モルヒネ、ヘロインおよび他のオピオイドアゴニスト、フェノバルビタールおよび他のバルビツレート、ニコチン、ジアゼパム、ベンゾジアゼピンおよび他の精神活性物質への中毒を含む薬物依存症；パーキンソン病における認知症、神経遮断薬により誘発されるパーキンソニズムまたは遅発性ジスキネジーを含むパーキンソン病；血管障害に関連する頭痛を含む頭痛；離脱症候群；加齢による学習および精神障害；無気力症；双極性障害；慢性疲労症候群；慢性または急性ストレス；行為障害；気分循環性障害；身体化障害、転換性障害、疼痛性障害、心気症、身体醜形障害、未分化障害および身体表現性ＮＯＳ等の身体表現性障害；失禁；吸入障害；中毒障害；躁病；反抗挑戦性障害；末梢神経障害；心的外傷後ストレス障害；黄体期後期不機嫌性障害；特異的発達障害；ＳＳＲＩ「プープアウト（ｐｏｏｐ−ｏｕｔ）」症候群、または初期の満足な応答後に患者がＳＳＲＩ療法への満足な応答を維持できないこと；またはトゥーレット病を含むチック障害を治療するための、請求項５または６に記載の医薬組成物。
【請求項９】
請求項１から４のいずれか一項に記載の化合物または薬学的に許容できるその塩と、別の活性医薬成分を含む、請求項５に記載の医薬組成物。
【請求項１０】
請求項１から４のいずれか一項に記載の化合物または薬学的に許容できるその塩を含む医薬組成物。
【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
構造式（１）の化合物または薬学的に許容されるその塩もしくはアミドを有効成分として含む、下肢静止不能症候群の治療または下肢静止不能症候群に関連する症状の軽減のための医薬組成物。
【化１】
2013531008.tif 000001
（式中、
Ｒは、水素原子、炭素数１〜８の低級アルキル、Ｆ、Ｃｌ、Ｂｒ、およびＩから選択されるハロゲン、炭素数１〜３のアルコキシ、ニトロ基、ヒドロキシ、トリフルオロメチル、ならびに炭素数１〜３のチオアルコキシからなる群より選択され、
ｘは１〜３の整数であり、ｘが２または３のときＲは同一でも異なっていてもよく、
Ｒ１およびＲ２は同一または互いに異なって、水素原子、炭素数１〜８の低級アルキル、炭素数３〜７のアリール、炭素数３〜７のアリールアルキル、および炭素数３〜７のシクロアルキルからなる群よりそれぞれ独立して選択され、
Ｒ１とＲ２とは一緒になって、水素原子、炭素数１〜８のアルキル、および炭素数３〜７のアリールからなる群より選択されるメンバーによって置換された５〜７員環のヘテロ環を形成してもよく、この場合該ヘテロ環式化合物は１〜２個の窒素原子および０〜１個の酸素原子を含み、該窒素原子は他の窒素原子とも酸素原子とも直接接合していない。）
【請求項２】
Ｒ、Ｒ１およびＲ２がいずれも水素原子であることを特徴とする請求項１に記載の医薬組成物。
【請求項３】
前記構造式（１）の化合物が実質的に他のエナンチオマーを含まない１つのエナンチオマーであるかまたは１つのエナンチオマーが優位にあるエナンチオマー混合物であり、該エナンチオマーが構造式（１ａ）によって表される（Ｓ）または（Ｌ）エナンチオマーであることを特徴とする請求項１に記載の医薬組成物。
【化２】
2013531008.tif 000002
【請求項４】
１つのエナンチオマーが約９８％以上を占めることを特徴とする請求項３に記載の医薬組成物。
【請求項５】
Ｒ、Ｒ１およびＲ２がいずれも水素原子であり、かつｘが１であることを特徴とする請求項３に記載の医薬組成物。
【請求項６】
前記構造式（１）の化合物が実質的に他のエナンチオマーを含まない１つのエナンチオマーであるかまたは１つのエナンチオマーが優位にあるエナンチオマー混合物であり、該エナンチオマーが構造式（１ｂ）によって表される（Ｒ）または（Ｄ）エナンチオマーであることを特徴とする請求項１に記載の医薬組成物。
【化３】
2013531008.tif 000003
【請求項７】
１つのエナンチオマーが約９８％以上を占めることを特徴とする請求項６に記載の医薬組成物。
【請求項８】
前記エナンチオマーが（Ｒ）−（β−アミノ−ベンゼンプロピル）カルバメートであることを特徴とする請求項６に記載の医薬組成物。
【請求項９】
前記エナンチオマー（Ｒ）−（β−アミノ−ベンゼンプロピル）カルバメートが約９８％以上を占めることを特徴とする請求項６に記載の医薬組成物。
【請求項１０】
下肢静止不能症候群に関連する症状が、下腿の感覚、睡眠時周期性四肢運動（ＰＬＭＳ）、脚の不快感、脚を動かしたい衝動、情動不安、睡眠障害、および日中の過度の眠気から成る群から選択される１以上であることを特徴とする、請求項１に記載の医薬組成物。
【請求項１１】
下肢静止不能症候群の治療または下肢静止不能症候群に関連する症状の軽減における、構造式（１）の化合物、薬学的に許容されるその塩もしくはアミド、実質的に他のエナンチオマーを含まない１つのエナンチオマー、または１つのエナンチオマーが優位にあるエナンチオマー混合物の使用。
【化４】
2013531008.tif 000004
（式中、
Ｒは、水素原子、炭素数１〜８の低級アルキル、Ｆ、Ｃｌ、Ｂｒ、およびＩから選択されるハロゲン、炭素数１〜３のアルコキシ、ニトロ基、ヒドロキシ、トリフルオロメチル、ならびに炭素数１〜３のチオアルコキシからなる群より選択され、
ｘは１〜３の整数であり、ｘが２または３のときＲは同一でも異なっていてもよく、
Ｒ１およびＲ２は同一または互いに異なって、水素原子、炭素数１〜８の低級アルキル、炭素数３〜７のアリール、炭素数３〜７のアリールアルキル、および炭素数３〜７のシクロアルキルからなる群よりそれぞれ独立して選択され、
Ｒ１とＲ２とは一緒になって、水素原子、炭素数１〜８のアルキル、および炭素数３〜７のアリールからなる群より選択されるメンバーによって置換された５〜７員環のヘテロ環を形成してもよく、この場合該ヘテロ環式化合物は１〜２個の窒素原子および０〜１個の酸素原子を含み、該窒素原子は他の窒素原子とも酸素原子とも直接接合していない。）
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
少なくとも１個の“スペーサー”基Spによって一緒に結合させた少なくとも１個の基Qと少なくとも１個の基Aを含む化合物をグラフトさせることによって得られる変性ポリマーであって、
Qが、アゾ‐ジカルボニル含有基を含み；
Aが、少なくとも１個の窒素原子を含む会合性基を含み；そして、
Spが、QとA間の結合を形成する原子または複数の原子の基であることを特徴とする前記変性ポリマー。
【請求項２】
前記ポリマーが、ジエンエラストマーである、請求項１記載の変性ポリマー。
【請求項３】
前記ジエンエラストマーが本質的に飽和である、請求項１または２記載の変性ポリマー。
【請求項４】
前記ジエンエラストマーが本質的に不飽和である、請求項１または２記載の変性ポリマー。
【請求項５】
前記会合性基が、イミダゾリジニル、トリアゾリル、ウレイル、ビス‐ウレイルおよびウレイド‐ピリミジル基から選ばれる、請求項１〜４のいずれか１項記載の変性ポリマー。
【請求項６】
基Aが、下記の式(II)〜(VI)の１つに相応する、請求項１〜５のいずれか１項記載の変性ポリマー：
【化１】
2013531727.tif 000001
(式中、Rは、必要に応じてヘテロ原子を含有し得る炭化水素基を示し；
Xは、酸素もしくはイオウ原子または基‐NHを示す)。
【請求項７】
前記変性剤が、下記の式(VII)によって示される、請求項１〜６のいずれか１項記載の変性ポリマー：
W‐CO‐N＝N‐CO‐Sp‐A        (VII)
[式中、・Aは、少なくとも１個の窒素原子を含む会合性基であり；
・Spは、前記アゾジカルボニル含有官能基を前記会合性基Aへ結合させる二価のスペーサー基であり；
・Wは、式 R'‐Z‐の基 (式中、Zは、酸素もしくはイオウ原子、または基‐NHもしくは‐NR'を示し；R'は、C1〜C20アルキルを示す)；または、式‐Sp’‐A’ の基 (式中、Sp’は、Spと同一または異なるものであって、前記アゾジカルボニル含有官能基をもう１つの会合性基A’へ結合させる二価のスペーサー基であり；A’は、Aと同一または異なるものであって、少なくとも１個の窒素原子を含む会合性基である)を示す]。
【請求項８】
前記変性剤が、下記の式(VIII)または(IX)の化合物から選ばれる、請求項７記載の変性ポリマー：
R'‐Z‐CO‐N＝N‐CO‐Sp‐A        (VIII)；または、
A'‐Sp'‐CO‐N＝N‐CO‐Sp‐A        (IX)
(式中、R'、Z、Sp、A、Sp'およびA'は、請求項７において定義したとおりであり、A、SpおよびSp’は、１個以上のヘテロ原子を含有し得る)。
【請求項９】
前記変性剤が、下記の式(X)または(XI)の化合物から選ばれる、請求項８記載の変性ポリマー：
【化２】
2013531727.tif 000002
(式中、Yは、メチレン基、酸素またはイオウ原子、および基‐NH‐から選ばれる二価の基を示し；そして、
R"は、C1〜C6アルコキシを示す)。
【請求項１０】
前記変性剤の“スペーサー”基SpまたはSp’が、‐(CH2)y‐、‐NH‐(CH2)y‐、‐O‐(CH2)y‐から選ばれ、yが1〜6の整数である、請求項１〜９のいずれか１項記載の変性ポリマー。
【請求項１１】
前記変性剤が、下記の式(XII)〜(XV)の化合物から選ばれる、請求項９および１０のいずれか１項記載の変性剤：
【化３】
2013531727.tif 000003
【請求項１２】
少なくとも１個の不飽和を含むポリマー上に、少なくとも１個の“スペーサー”基Spによって一緒に結合させた少なくとも１個の基Qと少なくとも１個の基Aを含む化合物(上記において、Qは、アゾ‐カルボニル含有基を含み；Aは、少なくとも１個の窒素原子を含む会合性基を含み；そして、Spは、QとA間の結合を形成する原子または複数の原子の基である)を、前記不飽和上での基Qの“エン反応”によってグラフトさせる工程を含むことを特徴とする変性ポリマーの製造方法。
【請求項１３】
前記ポリマーが、ジエンエラストマーである、請求項１２記載の変性ポリマーの製造方法。
【請求項１４】
前記変性剤が、請求項５〜１１のいずれか１項において定義したとおりである、請求項１２〜１３のいずれか１項記載の変性ポリマーの製造方法。
【請求項１５】
補強用充填剤と、請求項１〜１１において定義したようなポリマーとを含む架橋済みまたは架橋可能なゴム組成物。
【請求項１６】
請求項１５において定義したようなゴム組成物を含むタイヤ。
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
炭化水素流体中の硫化水素の量を、硫化水素捕捉剤を含む有効量の組成物と前記流体を接触させることによって、低下させる方法であって、前記硫化水素捕捉剤の量が、硫化水素と反応させて蒸気相の中に見出される硫化水素を低下させるのに十分な量であって、前記硫化水素捕捉剤と硫化水素との反応生成物が前記炭化水素流体中に可溶性で留まり、前記硫化水素捕捉剤が少なくとも１種のアルファ−アミノエーテルを含む、方法。
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマー、補強用充填剤、化学架橋剤、および必要に応じて前記エラストマーに既にグラフトさせた、少なくとも１個のスペーサー基Spによって互いに結合させている少なくとも１個の基Qと少なくとも１個の基Aを含む化合物から選ばれる変性剤をベースとするゴム組成物であって、
Qが、少なくとも１個の窒素原子を含有する双極子を含み；
Aが、少なくとも１個の窒素原子を含む会合性基を含み；そして、
Spが、QとA間の結合を形成する原子または複数の原子の基であることを特徴とする前記ゴム組成物。
【請求項２】
Aが、イミダゾリジニル、トリアゾリル、トリアジニル、ビス‐ウレイルおよびウレイド‐ピリミジルの各基から選ばれる、請求項１記載の組成物。
【請求項３】
基Aが、下記の式(II)〜(VI)の１つに相応する、請求項１または２記載の組成物：
【化１】
2013531726.tif 000001
(式中、Rは、必要に応じてヘテロ原子を含有し得る炭化水素基を示し；
Xは、酸素またはイオウ原子を示す)。
【請求項４】
Qが、ニトリルオキシド、ニトロンまたはイミンニトリル官能基を含む、請求項１〜３のいずれか１項記載の組成物。
【請求項５】
基Qが、下記の式(VII)、(VIII)または(IX)の基である、請求項１〜４のいずれか１項記載の組成物：
【化２】
2013531726.tif 000002
[式中、R1〜R6は、個々に、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
【化３】
2013531726.tif 000003
(X)
(式中、nは、1、2、3、4または5を示し、各Yは、個々に、スペーサー基Sp、アルキル基またはハライドを示す)]。
【請求項６】
前記スペーサー基が、窒素、イオウ、ケイ素または酸素原子から選ばれる１個以上のヘテロ原子を必要に応じて含むC1〜C24の線状または枝分れのアルキル鎖である、請求項１〜５のいずれか１項記載の組成物。
【請求項７】
基Qが、下記の式(XIa)または(XIb)：
【化４】
2013531726.tif 000004
(式中、R7およびR8は、個々に、水素またはC1〜C5アルキル基、アルコキシまたはハライドを示し；R3は、請求項５において定義したとおりである)
の基であり；そして、基Aが、下記の式(XII)：
【化５】
2013531726.tif 000005
(XII)
の基である、請求項１〜６のいずれか１項記の組成物。
【請求項８】
前記変性剤が、下記の式(XIII)〜(XXI)の化合物から選ばれる、請求項１〜７のいずれか１項記載の組成物：
【化６】
2013531726.tif 000006
(式中、R3は、請求項５において定義したとおりである)
【化７】
2013531726.tif 000007
【請求項９】
前記変性剤が、下記の式(XXII)および(XXIII)の化合物から選ばれる、請求項１〜６のいずれか１項記載の組成物：
【化８】
2013531726.tif 000008
【請求項１０】
前記ジエンエラストマーが、天然ゴム、合成ポリイソプレン、ポリブタジエン、ブタジエンコポリマー、イソプレンコポリマーおよびこれらのエラストマーの混合物から選ばれる実質的に不飽和のジエンエラストマーである、請求項１〜９のいずれか１項記載の組成物。
【請求項１１】
前記ジエンエラストマーが、ブチルゴム、およびEPDMのようなジエンとアルファ‐オレフィンとのコポリマーから選ばれる実質的に飽和のエラストマーである、請求項１〜９のいずれか１項記載の組成物。
【請求項１２】
前記化学架橋剤が、0.5〜12phrのイオウ、または0.01〜10phrの１種以上の過酸化物化合物を含む、請求項１〜１１のいずれか１項記載の組成物。
【請求項１３】
変性剤の割合が、0.01〜50モル%の範囲にある、請求項１〜１２のいずれか１項記載の組成物。
【請求項１４】
下記の工程を含むことを特徴とする、少なくとも１種のジエンエラストマー、補強用充填剤、化学架橋剤および変性剤をベースとするゴム組成物の製造方法：
・前記ジエンエラストマーを、少なくとも１個のスペーサー基Spによって互いに結合させている少なくとも１個の基Qと少なくとも１個の基Aを含み、Qが少なくとも１個の窒素原子を含有する双極子を含み、Aが少なくとも１個の窒素原子を含む会合性基を含み；そして、SpがQとA間の結合を形成する原子または複数の原子の基であるところの変性剤の溶液中または塊状での重合後グラフト化によって変性する工程；
・前記補強用無機充填剤を、前記変性剤でそのようにしてグラフト化した前記ジエンエラストマー中に、混ぜ合せた混合物を、１回以上、130℃と200℃の間の最高温度に達するまで熱機械的に混練することによって混入する工程；
・混合物を、100℃よりも低い温度に冷却する工程；
・その後、前記化学架橋剤を混入する工程；
・仕上げた混合物を120℃よりも低い最高温度まで混練する工程；
・得られたゴム組成物を押出またはカレンダー加工する工程。
【請求項１５】
下記の工程を含むことを特徴とする、少なくとも１種のジエンエラストマー、補強用充填剤、化学架橋剤および変性剤をベースとするゴム組成物の製造方法：
・前記ジエンエラストマー中に、塊状で混合する途中において、少なくとも１個のスペーサー基Spによって互いに結合させている少なくとも１個の基Qと少なくとも１個の基Aを含み、Qが少なくとも１個の窒素原子を含有する双極子を含み、Aが少なくとも１個の窒素原子を含む会合性基を含み；そして、SpがQとA間の結合を形成する原子または複数の原子の基であるところの変性剤を混入する工程；
・混合物を、100℃よりも低い温度に冷却する工程；
・その後、前記化学架橋剤を混入する工程；
・仕上げた混合物を120℃よりも低い最高温度まで混練する工程；
・得られたゴム組成物を押出またはカレンダー加工する工程。
【請求項１６】
請求項１〜１４に記載のゴム組成物を含むタイヤ。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
（ａ）少なくとも１種のジビニルアレーンジオキシドと、
（ｂ）少なくとも１種のカチオン系光開始剤と、
（ｃ）少なくとも１種の界面活性剤と、
を含む、ＵＶ硬化性組成物であって、
前記ＵＶ硬化性組成物は、ＵＶ処理が高速で、ＵＶ処理の臭気が少なく、良好な加水分解安定性を示し、そして、
前記ＵＶ硬化性組成物は、ＵＶ硬化されると、従来のＵＶ硬化性組成物と比較して、高い熱安定性、高い加水分解安定性、及び高い耐薬品性を維持しつつ、熱機械的特性の優れたバランスを示すものである、ＵＶ硬化性組成物。
【請求項２】
前記ジビニルアレーンジオキシドが、１種又は２種以上のジビニルベンゼンジオキシド、置換ジビニルベンゼンジオキシド、ジビニルナフタレンジオキシド、ジビニルビフェニルジオキシド、ジビニルジフェニルエーテルジオキシド、及びこれらの混合物を含む群から選択されるものである、請求項１記載の組成物。
【請求項３】
前記ジビニルアレーンジオキシドがジビニルベンゼンジオキシドである、請求項１記載の組成物。
【請求項４】
前記ジビニルアレーンジオキシドの濃度が、１重量パーセント〜９９．９５重量パーセントの範囲である、請求項１記載の組成物。
【請求項５】
前記少なくとも１種のカチオン系光開始剤が、ジフェニル（フェニルチオフェニル）スルホニウムカチオン；ビス［４−（ジフェニル−スルホニオ）フェニル］スルフィドビスカチオン；トリフェニルスルホニウムカチオン；ヘキサフルオロアンチモネート（ＳｂＦ６−）アニオン、ＳｂＦｘ（ＯＨ）ｙ−（ここでｘ＋ｙ＝６）アニオン；ヘキサフルオロホスフェートホスフェート（ＰＦ６−）アニオン；及びこれらの混合物を含む、請求項１記載の組成物。
【請求項６】
前記少なくとも１種のカチオン系光開始剤の濃度が、０．０５重量パーセント〜２０重量パーセントの範囲である、請求項１記載の組成物。
【請求項７】
（ｃ）少なくとも１種の顔料材料を含む、請求項１記載の組成物。
【請求項８】
前記少なくとも１種の顔料材料が、銅フタロシアニンブルー顔料、二酸化チタン、及びこれらの混合物を含む、請求項７記載の組成物。
【請求項９】
前記少なくとも１種の顔料材料の濃度が、１重量パーセント〜８０重量パーセントの範囲である、請求項７記載の組成物。
【請求項１０】
前記少なくとも１種の顔料材料のｐＨが４から１１までを含む、請求項７記載の組成物。
【請求項１１】
少なくとも１種のアルコール又はポリオールを含む、請求項１記載の組成物。
【請求項１２】
少なくとも１種の反応性希釈剤、粘度調整剤、及びこれらの混合物を含む、請求項１記載の組成物。
【請求項１３】
少なくとも１種のオキセタンを含む、請求項１記載の組成物。
【請求項１４】
（ａ）少なくとも１種の、加水分解安定性が６０パーセントより大きいジビニルアレーンジオキシドと、
（ｂ）少なくとも１種のカチオン系光開始剤と、
を混合することを含む、硬化性ジビニルアレーンジオキシド樹脂組成物を調製する方法。
【請求項１５】
（ｃ）少なくとも１種の顔料材料を混合することを含む、請求項１４記載の方法。
【請求項１６】
前記組成物に少なくとも１種のアルコール又はポリオールを混合することを含む、請求項１４記載の方法。
【請求項１７】
少なくとも１種の反応性希釈剤、粘度調整剤、及びこれらの混合物を混合することを含む、請求項１４記載の方法。
【請求項１８】
少なくとも１種のオキセタンを混合することを含む、請求項１４記載の方法。
【請求項１９】
請求項１記載の組成物を硬化させて得られる、硬化生成物。
【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
熱可塑性プラスチック成形材料を着色するための水性着色剤調製品であって、
ａ）２６０℃で６０分の等温熱重量分析で最大１５質量％、好ましくは０．１〜１０質量％、特に好ましくは０．５〜７質量％、極めて特に好ましくは０．５〜５質量％及び殊に好ましくは１〜４質量％の乾燥された形での純分散添加剤の減量を有する、分散添加剤  １質量％〜４９質量％、
ｂ）顔料又は顔料混合物  ０．５質量％〜５０質量％及び
ｃ）助剤  ０質量％〜５０質量％、及び
ｄ）水、好ましくは脱塩水  ０質量％〜９８．５質量％
を含有し、その際に成分ａ）〜ｄ）の質量部は合計して１００質量％になり、
その際にｂ）に記載の前記顔料又は前記顔料混合物の少なくとも１種の顔料が、ジアゾ染料、ペリレン類、アントラキノン類、アントラピリミジン類、ペリノン類、Thermoplastrot(R) 454、Macrolexgelb(R) G、クロム酸亜鉛、硫化カドミウム、酸化クロム、群青顔料及び金属フレーク及びＢａＳＯ4からなる群から選択されている
ことを特徴とする、水性着色剤調製品。
【請求項２】
ｂ）に記載の前記顔料又は前記顔料混合物の少なくとも１種の顔料が、Sandoplast(R)レッドG／Solvaperm(R)レッドGである、請求項１記載の水性着色剤調製品。
【請求項３】
前記分散添加剤の割合が、それぞれ前記着色剤調製品の全量を基準として、５質量％〜４５質量％、好ましくは１０質量％〜４０質量％及び特に好ましくは２０質量％〜３５質量％である、請求項１又は２記載の水性着色剤調製品。
【請求項４】
分散添加剤として、少なくとも無水マレイン酸と、スチレンと、アミノポリエーテルとをモノマー単位として含む高分子量コポリマーが使用される、請求項１から３までのいずれか１項記載の水性着色剤調製品。
【請求項５】
分散添加剤として、メタクリル酸と疎水性メタクリラートとのコポリマーが使用される、請求項１から３までのいずれか１項記載の水性着色剤調製品。
【請求項６】
分散添加剤として、ポリエーテル、好ましくはエチレンオキシド、プロピレンオキシド及び／又はブチレンオキシド、及びスチレンオキシドのコポリマーが使用される、請求項１から３までのいずれか１項記載の水性着色剤調製品。
【請求項７】
助剤として、増粘剤、特にカルボキシラート基含有ポリマー又はセルロース、特にエチルセルロースが含まれている、請求項１から６までのいずれか１項記載の水性着色剤調製品。
【請求項８】
熱可塑性プラスチック成形材料を着色するための、水性着色剤調製品の使用であって、
前記水性着色剤調製品が、
ａ）２６０℃で６０分の等温熱重量分析で最大１５質量％、好ましくは０．１〜１０質量％、特に好ましくは０．５〜７質量％、極めて特に好ましくは０．５〜５質量％及び殊に好ましくは１〜４質量％の乾燥された形での純分散添加剤の減量を有する、分散添加剤 １質量％〜４９質量％、
ｂ）顔料又は顔料混合物 ０．５質量％〜５０質量％及び
ｃ）助剤 ０質量％〜５０質量％、及び
ｄ）水、好ましくは脱塩水 ０質量％〜９８．５質量％
を含有し、その際に成分ａ）〜ｄ）の質量部は合計して１００質量％になる、水性着色剤調製品の使用。
【請求項９】
水性着色剤調製品で着色されており、前記水性着色剤調製品が、
ａ）２６０℃で６０分の等温熱重量分析で最大１５質量％、好ましくは０．１〜１０質量％、特に好ましくは０．５〜７質量％、極めて特に好ましくは０．５〜５質量％及び殊に好ましくは１〜４質量％の乾燥された形での純分散添加剤の減量を有する、分散添加剤 １質量％〜４９質量％、
ｂ）顔料又は顔料混合物 ０．５質量％〜５０質量％及び
ｃ）助剤 ０質量％〜５０質量％、及び
ｄ）水、好ましくは脱塩水 ０質量％〜９８．５質量％
を含有し、その際に成分ａ）〜ｄ）の質量部は合計して１００質量％になる
ことを特徴とする、熱可塑性プラスチック。
【請求項１０】
水性着色剤調製品で着色されており、前記水性着色剤調製品が、
ａ）２６０℃で６０分の等温熱重量分析で最大１５質量％、好ましくは０．１〜１０質量％、特に好ましくは０．５〜７質量％、極めて特に好ましくは０．５〜５質量％及び殊に好ましくは１〜４質量％の乾燥された形での純分散添加剤の減量を有する、分散添加剤 １質量％〜４９質量％、
ｂ）顔料又は顔料混合物 ０．５質量％〜５０質量％及び
ｃ）助剤 ０質量％〜５０質量％、及び
ｄ）水、好ましくは脱塩水 ０質量％〜９８．５質量％
を含有し、その際に成分ａ）〜ｄ）の質量部は合計して１００質量％になる
ことを特徴とする、ポリ（アルキル）（メタ）アクリラート。
【請求項１１】
熱可塑性プラスチックを着色する方法であって、
水性着色剤調製品を使用し、前記水性着色剤調製品が、
ａ）２６０℃で６０分の等温熱重量分析で最大１５質量％、好ましくは０．１〜１０質量％、特に好ましくは０．５〜７質量％、極めて特に好ましくは０．５〜５質量％及び殊に好ましくは１〜４質量％の乾燥された形での純分散添加剤の減量を有する、分散添加剤 １質量％〜４９質量％、
ｂ）顔料又は顔料混合物 ０．５質量％〜５０質量％及び
ｃ）助剤 ０質量％〜５０質量％、及び
ｄ）水、好ましくは脱塩水 ０質量％〜９８．５質量％
を含有し、その際に成分ａ）〜ｄ）の質量部は合計して１００質量％になる
ことを特徴とする、熱可塑性プラスチックを着色する方法。
【請求項１２】
熱可塑性プラスチックとしてポリ（アルキル）（メタ）アクリラートを使用する、請求項１１記載の方法。
【請求項１３】
熱可塑性プラスチックとして耐衝撃変性ポリ（アルキル）（メタ）アクリラートを使用する、請求項１１又は１２記載の方法。
【請求項１４】
請求項１１から１３までのいずれか１項記載の方法により得られる、熱可塑性プラスチック成形材料。
【請求項１５】
請求項１４に記載された熱可塑性プラスチック成形材料の射出成形又は押出しにより製造された、プラスチック成形体。